(57)【要約】【課題】文字幅サイズが４ｍｍ程度であっても、容易に視認できる。【解決手段】文字、数字または記号をアルファニューメリック字体で表示する表示装置であって、上記アルファニューメリック字体は、文字単体または数字単体を表す複数のセグメント２と、このセグメントで囲まれた内部に記号を表すセグメント３、４が配置され、字体の外周を構成するセグメントが全体として、視認される方向よりみて、上辺の長さが該上辺と平行する下辺の長さよりも短く、左辺の傾斜が右辺の傾斜より大きい台形に配置される。【選択図】図２
2010204441.tif 000002
【特許請求の範囲】
【請求項１】
文字、数字または記号をアルファニューメリック字体で表示する表示装置であって、
前記アルファニューメリック字体は、前記文字単体または数字単体を表す複数のセグメントと、このセグメントで囲まれた内部に前記記号を表すセグメントが配置されることを特徴とする表示装置。
【請求項２】
前記アルファニューメリック字体は、該字体の外周を構成するセグメントが全体として台形に配置されていることを特徴とする請求項１記載の表示装置。
【請求項３】
前記台形は、視認される方向よりみて、上辺の長さが該上辺と平行する下辺の長さよりも短く、左辺の傾斜が右辺の傾斜より大きい傾斜角を有することを特徴とする請求項２記載の表示装置。
【請求項４】
前記アルファニューメリック字体で表示される表示装置が蛍光表示管であることを特徴とする請求項１ないし請求項３のいずれか１項記載の表示装置。
【発明の詳細な説明】
【技術分野】
【０００１】
本発明は表示部がアルファニューメリック字体で表示される表示装置、特に蛍光表示管に関する。
【背景技術】
【０００２】
表示装置の１つである蛍光表示管は、オーディオ、家電製品、計測器、医療機器などの表示部に自発光型の表示装置として多用されている。
蛍光表示管の断面を図６に示す。蛍光表示管５は、電子線を発生する陰極１３と、ガラス基板６上に設けられた陽極基板１１の表示面において複数の陽極９上表面にそれぞれ形成された蛍光体層１０と、蛍光体層１０と陰極１３との間に設けられた複数のグリッド電極１２とを備え、ガラス基板６とフェースガラス１４とスペーサガラス１５とで囲まれた真空空間内において、陰極１３より発生した電子線を制御する複数のグリッド電極１２を介して陽極基板１１上の蛍光体層１０に照射させて発光させ、表示体を視認させる表示装置である。なお、図６において、陽極基板１１は、ガラス基板６上に配線層７を形成した後、スルーホール８ａを除くほぼ全面にわたって絶縁層８を、絶縁層８上にスルーホール８ａを介して電気的に接続される陽極電極９をそれぞれ形成し、この陽極電極９上に蛍光体層１０が形成されている。
【０００３】
従来、表示部としてアルファニューメリック字体を用いた蛍光表示管が知られている（特許文献１および特許文献２）。
従来のアルファニューメリック字体の一例を図４に示す。図４において、図４（ａ）は１４セグメントの場合におけるセグメント配置例を、図４（ｂ）はこの配置例によるアルファニューメリック字体で表示される数字および文字をそれぞれ表す。
図４（ｂ）に示される０〜９の数字、ＯＮＲＩＴＡＫＥ等の文字は、図４（ａ）に示すように、複数のセグメント２を組み合わせて、角度θ’斜めに倒れた平行四辺形と、この平行四辺形に囲まれた複数のセグメントとで表される。また、この平行四辺形の外にデシマルポイント（以下、ＤＰと記す）３やコロン（以下、ＣＯＬと記す）４などの記号が配置されている。
【０００４】
しかしながら、従来のアルファニューメリック字体は、平行四辺形の右端底部２ａの右隣に配置されるＤＰ３およびこのＤＰ３上部に配置されるＣＯＬ４と、右に配置されるアルファニューメリック字体の左端底部２ｂとの距離ｄ’を一定間隔離して配置することになり、以下の問題がある。
（１）ＤＰ３やＣＯＬ４の配置スペースを確保するために横幅を短縮する分だけ、字体が圧縮された字幅Ｗ2となり、相対的に長体化して貧弱化した字体になる。
（２）ＤＰ３を使用する場合には、図４（ｂ）の数字「１〜８９．０」の表示において、「８」と「９」との間隔、および「．」と「０」との間隔は一定に保たれるが、「９」と「．」との間隔はほとんど確保されず、表示される文字および数字がＤＰ３やＣＯＬ４の位置と干渉しやすくなるという問題がある。本来「．」は１字分のスペースが確保され、前後の数字と等間隔に配置されるべきであるが、上記の配置による表示方法では、数字間の間隔のアンバランスが生じ読み取り難くなる。
【０００５】
表示装置の表示面の視認性を向上させる方法として、図５に示すように、直立にしたアルファニューメリック字体が知られている（例えば、特許文献３および特許文献４）。図５において、図５（ａ）は１４セグメントの場合におけるセグメント配置例を、図５（ｂ）はこの配置例によるアルファニューメリック字体で表示される数字および文字をそれぞれ表す。
図４に表されるアルファニューメリック字体に比較して、図５に示す字体は、組み合わされる複数のセグメント２が直立した四辺形に囲まれている。このため、表示の主体となるアルファニューメリックの字幅Ｗ2 を最大とすることができ、上記（１）の問題は図４に表されるアルファニューメリック字体よりも改善されるが、上記（２）の問題は依然として解消されず、視認性の向上は限定的である。
【０００６】
一方、蛍光表示管において、表示面の高精細化が進むと、表示文字自体もサイズのより小さい、例えば４ｍｍ程度の文字幅サイズを有する、アルファニューメリック字体が必要となるが、視認性を向上させるために、上記（１）および（２）の問題は小さい字体になるに従い大きな問題となる。
また、ダイナミック駆動で駆動される蛍光表示管の場合、グリッド電極が所定の発光単位（発光群）毎に分割して設けられ、この分割された電極の下方に陽極電極が配置される構造のため、この分割された範囲内で可能な限り表示される文字サイズを拡大して、発光面積の確保および視認性の向上が求められている。
【先行技術文献】
【特許文献】
【０００７】
【特許文献１】特開平１０−３２１１７１号公報
【特許文献２】特開平１１−３１４６８号公報
【特許文献３】特開２００７−６４７８１号公報
【特許文献４】特開２００４−２５２２６７号公報
【発明の概要】
【発明が解決しようとする課題】
【０００８】
本発明はこのような問題に対処するためになされたものであり、文字幅サイズが４ｍｍ程度であっても、容易に視認できるアルファニューメリック字体で表示される表示装置、特に蛍光表示管の提供を目的とする。
【課題を解決するための手段】
【０００９】
本発明の表示装置は、文字、数字または記号をアルファニューメリック字体で表示する表示装置であって、上記アルファニューメリック字体は、文字単体または数字単体を表す複数のセグメントと、このセグメントで囲まれた内部に上記記号を表すセグメントが配置されることを特徴とする。
また、上記アルファニューメリック字体は、該字体の外周を構成するセグメントが全体として台形に配置されていることを特徴とする。
その全体としての台形は、視認される方向よりみて、上辺の長さが該上辺と平行する下辺の長さよりも短く、左辺の傾斜が右辺の傾斜より大きい傾斜角を有することを特徴とする。
また、上記アルファニューメリック字体で表示される表示装置が蛍光表示管であることを特徴とする。
【発明の効果】
【００１０】
本発明の表示装置は、所定のセグメントで囲まれた領域の内部に、ＤＰやＣＯＬ等の記号を収容するので、ＤＰやＣＯＬを文字や数字の外側に配置する、図４および図５で示される従来のアルファニューメリック字体よりも文字幅サイズを大きくできることから明るく視認性に優れた字体が得られる。
また、セグメントが全体として台形に配置されているので、デザイン的に末広がりで安定感があり、遠近法的な奥行き感が得られる。
また、図４および図５で示される従来のアルファニューメリック字体よりも、デザイン的に趣味性に優れカジュアルな字体になる。
さらに、ＤＰやＣＯＬ等が１字分のスペースで表示可能となり、ＤＰやＣＯＬのないアルファニューメリック字体間の距離以上にＤＰやＣＯＬとアルファニューメリック字体との距離を確保することができることによる識別性の向上が可能となる。
【００１１】
蛍光表示管に適用すると、陽極分割位置から陽極までの距離を長くすることができることから、漏れ発光や蹴りこみ等の表示上の好ましくない現象の発生を防ぐことができ、高精細な表示面が得られる。ここで、漏れ発光とは隣接するグリッドやアノードの印加電圧の影響により、消したい表示の一部が光る現象であり、蹴りこみとは、隣接するグリッドやアノードの印加電圧の影響により、点灯したい表示の一部が翳る現象であり、駆動上の問題として発生する現象である。
また、陽極基板の製造において配線の取り回しが容易になるため、容易に製造できる。
【図面の簡単な説明】
【００１２】
【図１】アルファニューメリック字体を構成するセグメントの配置および表示パターンを示す図である。
【図２】セグメントの配置を示す拡大図である。
【図３】アルファニューメリック字体を構成する他のセグメントの配置および表示パターンを示す図である。
【図４】従来のアルファニューメリック字体の例を示す図である。
【図５】従来のアルファニューメリック字体の他の例を示す図である。
【図６】蛍光表示管の構造を示す断面図である。
【発明を実施するための形態】
【００１３】
蛍光表示管の表示部は、陰極から射出される電子線をグリット電極で制御している関係で、グリット電極の下に収まる領域内でも限られた範囲に陽極電極の発光パターンを収める必要があり、自由な文字および数字のパターン配置に対して制約がある。特にダイナミック駆動の場合、グリッド電極が所定の発光単位（発光群）毎に分割して設けられ、この分割された電極の下方に陽極電極が配置されている。
【００１４】
一方、アルファニューメリック字体は、その数値表示において、ＤＰは浮動小数点式に使われることが多く、文書の場合もピリオド位置を固定できないので、従来はアルファニューメリック字体の文字および数字を表すセグメントの外側に配置されてきた。また、ＤＰで代用されることもあるが、ＣＯＬは主に時刻表示に用いられるため、ある程度その位置を固定できるが、従来はアルファニューメリック字体の文字および数字を表すセグメントの外側に配置されてきた。
【００１５】
このため、ダイナミック駆動の蛍光表示管の表示面にアルファニューメリック字体を用いる場合、従来は、１つのグリッド分割部にアルファニューメリック字体の文字および数字を表すセグメントと一対にＤＰやＣＯＬを表示するセグメントを配置していた。
本発明は、所定のパターンのセグメントで囲まれた領域の内部に、ＤＰやＣＯＬ等の記号を表示するセグメントを収容することにより、ダイナミック駆動の１つのグリッド分割部内に一対としてのＤＰやＣＯＬを表示するセグメントを配置しなくともよいのでアルファニューメリック字体のパターンを最大化することができる。また、ＤＰやＣＯＬを表示する場合は、文字または数字１字分のスペースで表示するので、上位文字・桁からの距離を保てる。パターンの最大化および上位文字・桁からの距離をとれることにより視認性に優れた蛍光表示管がえられる。本発明はこのような知見に基づくものである。
【００１６】
本発明の表示装置に用いられるアルファニューメリック字体を図１および図２に基づいて説明する。図１（ａ）は１４セグメントの場合におけるセグメント配置例を、図１（ｂ）はこの配置例によるアルファニューメリック字体で表示される数字および文字をそれぞれ表す。図２は、図１（ａ）のセグメントの配置を示す拡大図である。
なお、アルファニューメリック字体は、１４セグメント表示の場合に限らず、他のセグメント表示、例えば１６セグメント表示等も含むことができる。
【００１７】
図１（ｂ）に示される「１２３４５６７８９．０」の「．」記号を含んだ数字表示、および「ＯＮＲＩＴＡＫＥ．ＪＰ」の「．」記号を含んだ文字表示は、図１（ａ）に示されるアルファニューメリック字体１を構成する複数のセグメント２を組み合わせてそれぞれが表される。また、「．」記号で表示されるＤＰ３もアルファニューメリック字体１内部に配置されているので、アルファニューメリック字体１のスペースで表される。
【００１８】
図２に示すように、アルファニューメリック字体１は、文字と数字の両方を表示できる１４個のセグメント２の配置で形成されている。ここで各セグメント２をａ〜ｎで表示する。各セグメント２の配置は、６個のセグメントａ〜ｆで台形を形成し、この台形内に米字形を形成する８個のセグメントｇ〜ｎが配置されている。
６個のセグメントａ〜ｆで形成される台形は、表示装置の表示面が視認される方向よりみて、台形の上辺となるセグメントａの長さが台形の下辺となるセグメントｄの長さよりも短い台形であり、セグメントｅおよびｆが直線的に連結して台形の左辺の傾斜を形成し、セグメントｃおよびｂが直線的に連結してセグメントｄに対して直角になるよう右辺を形成している。台形の上辺と下辺とが平行で、これら上下辺に右辺が直角に交わり左辺が傾斜している台形が好ましく、傾斜角θは１〜１０°、好ましくは３〜７°、より好ましくは５°前後である。
【００１９】
セグメントａ、ｂ、ｃ、ｄ、ｅ、ｆで囲まれた台形領域の内部に、ＤＰ３およびＣＯＬ４等の記号セグメント群が配置され、アルファニューメリック字体１が完成する。図２において、ＤＰ３は、セグメントｊ、ｍ、ｄに囲まれた領域のｄ近傍に、また、ＣＯＬの下部は、セグメントｃ、ｍ、ｈに囲まれた領域のｈ近傍に、ＣＯＬの上部は、セグメントｂ、ｋ、ｈに囲まれた領域のｈ近傍に、それぞれ設けられている。ＤＰ３およびＣＯＬ４を台形の内部に収容することで、蛍光表示管の場合、グリッド電極で分割されるスペース内を全てアルファニューメリック字体１を表示するためのセグメントの配置に充当できるため、アルファニューメリック字体１間の間隔ｄを狭くすることができると共に、アルファニューメリック字体１の字幅は従来例の図５におけるＷ2よりもさらに拡張されたＷ1で表示することができる。
【００２０】
また、図１および図２において、字幅Ｗ1が広くなる結果、米字形の一部を形成するセグメントｋ、ｌ、ｍ、ｎの長さを長くすることができることから、セグメントｅ、ｆ、ｌ、ｋ、ｂ、ｃによって特徴付けられる「Ｍ」や、セグメントｆ、ｅ、ｎ、ｍ、ｃ、ｂによって特徴付けられる「Ｗ」の文字形状の均整度が向上する。
また、「Ｋ」や「Ｒ」の文字形状は、右隅に降下するセグメントｍの長さや傾斜角度に従来限界があり、従来は図４および図５に示すように「Ｋ」や「Ｒ」の文字の右隅に降下する辺に対する均整度が不十分であったが、このセグメントｍを上述のようにすることで、図１（ｂ）に示す「Ｋ」や「Ｒ」の文字とすることができ、右隅に降下する辺に対する均整度が向上する。
【００２１】
本発明のアルファニューメリック字体１において、ＤＰ３やＣＯＬ４が表示されるときは、台形の内部に配置されたＤＰ３やＣＯＬ４が、単独でアルファニューメリック字体１の１個分のスペースを費やして表示されるので、アルファニューメリック字体１と表示されるＤＰ３またはＣＯＬ４との間隔は、アルファニューメリック字体１同士の横方向の間隔ｄよりも広く確保できる。その結果、図１（ｂ）に示すように、アルファニューメリック字体１と表示されるＤＰ３またはＣＯＬ４との関係の視認性がさらに向上する。
また、アルファニューメリック字体１を台形の下底を上底よりも長くするとともに、斜辺の頭部を右に傾斜させることで、大地にしっかり足をおろしている安定感と末広がり感とを字体に与えることができる。
【００２２】
図２におけるアルファニューメリック字体１の寸法の具体例としては、例えば、高さｈが３．９ｍｍ、下辺の長さＷ1が２．６ｍｍ、角度θが６°、字体１間の距離ｄが１．０ｍｍに配置することができる。また、アルファニューメリック字体１の列を複数列縦方向に配列する場合、その列間の距離は０．８ｍｍ程度にすることができる。図２におけるアルファニューメリック字体１を用いることにより、上記文字幅サイズが４ｍｍ以下の字体であっても容易に視認することができ、視認に優れた蛍光表示管が得られた。
【００２３】
好適なアルファニューメリック字体１として、図２に示す例を説明したが、本発明は、視認される方向よりみて、上辺の長さが該上辺と平行する下辺の長さよりも短く、左辺の傾斜が右辺の傾斜より大きい台形を形成するセグメントであれば好ましく使用できる。左辺の傾斜が右辺の傾斜より大きい台形とすることにより、表示される文字、数字が左方向に倒れたように見える直立字体の逆倒れ錯覚を防ぐことができる。
【００２４】
本発明の表示装置に用いられるアルファニューメリック字体１を構成するセグメントの配置および表示パターンの他の実施形態を図３に示す。図３（ａ）はセグメント配置例を、図１（ｂ）はこの配置例によるアルファニューメリック字体で表示される数字および文字をそれぞれ表す。
図３は、図１および図２における台形のアルファニューメリック字体１を長方形に置き換えたものであり、アルファニューメリック字体１は１４個のセグメントで構成され、米字形を形成する８個のセグメントを６個のセグメントが囲む長方形である。このセグメントで囲まれた領域の内部に、図１および図２と同様に、ＤＰ３およびＣＯＬ４等のセグメントが配置される。
なお、図３における長方形は、左、右辺が上、下辺よりも長い長方形であるが、表示される字体のデザインによっては、左、右辺が上、下辺よりも短い長方形、正方形の配置とすることができる。
【００２５】
図１の場合と同様に、図３においてもＤＰ３およびＣＯＬ４を台形の内部に収容することで、蛍光表示管の場合、グリッド電極で分割されるスペース内を全てアルファニューメリック字体１を表示するためのセグメントの配置に充当できる。このため、アルファニューメリック字体１間の間隔ｄを狭くすることができると共に、アルファニューメリック字体１の字幅は従来例の図５におけるＷ2よりもさらに拡張されたＷ1で表示することができる。
【００２６】
本発明の表示装置は蛍光表示管に好ましく適用できる。蛍光表示管において、ダイナミック駆動のグリッド分割部にＤＰ３やＣＯＬ４を配置しなくともよくなるので、アルファニューメリック字体の字幅Ｗ1の最大化が可能となる。その結果、（１）セグメント２の幅を太くすることができ、陽極基板製造時に形成する複数の層の印刷性が向上するとともに、近接する字体間の隙間の占める比率が相対的に小さくなり、アルファニューメリック字体の視認性が向上する。（２）アルファニューメリック字体のセグメント２で囲まれた領域内の配線スペースを広くすることができ、スルーホールおよびその部分のカーボンパッドを文字の内側に設けることができるので、ＤＰ３やＣＯＬ４を文字の外側に設ける場合よりも隣接グリッドの影響を受けにくい等、蛍光体と配線との導通を寸法的に容易な構造とすることができる。（３）字体の字幅を従来の幅にする場合は、ＤＰ３やＣＯＬ４が占有していたスペースをグリッド分割スペースに充当できるので、陽極分割位置から陽極までの距離を長くすることができ、漏れ発光や蹴りこみ等の表示上好ましくない現象の発生防止に対して有利になる。
【００２７】
本発明の表示装置は蛍光表示管（ＶＦＤ）に好ましく適用できるが、アルファニューメリック字体で表示される表示部を有する表示装置に対して応用できる。そのような表示装置としては、液晶表示装置（ＬＣＤ）、プラズマディスプレイ装置（ＰＤＰ）、電界放出ディスプレイ装置（ＦＥＤ）、有機または無機エレクトロルミネッセンスディスプレイ装置（ＥＬＤ）、発光ダイオードディスプレイ装置（ＬＥＤ）等が挙げられる。
【産業上の利用可能性】
【００２８】
本発明の表示装置は、文字サイズが４ｍｍ程度であっても容易に視認できるアルファニューメリック字体を有するので、特に文字サイズの小さな蛍光表示管に好適に利用することができる。
【符号の説明】
【００２９】
１  アルファニューメリック字体
２  セグメント
３  デシマルポイント
４  コロン
５  蛍光表示管
６  ガラス基板
７  配線層
８  絶縁層
９  陽極
１０  蛍光体層
１１  陽極基板
１２  グリッド（電極）
１３  陰極
１４  フェースガラス
１５  スペーサガラス
【図１】
2010204441.tif 000003
【図２】
2010204441.tif 000004
【図３】
2010204441.tif 000005
【図４】
2010204441.tif 000006
【図５】
2010204441.tif 000007
【図６】
2010204441.tif 000008